(57)【要約】【課題】送水ホースの接続金具・締め金具等が衝撃を受けても、接続金具・締め金具等の破損を防止できる衝撃緩和装置を提供する。【解決手段】送水ホース１１，１２の端部に挿入した接続金具１５の端部を、該送水ホース１１，１２の外側から締付けて送水ホース１１，１２と接続金具１５とを固定するボルト２１を有する締め金具１７の衝撃を緩和する衝撃緩和装置であって、前記締め金具１７の外周面の全体を覆うように嵌着され、かつ緩衝材料によって形成された緩衝リング２３であり、該緩衝リング２３には前記締め金具１７に掛止される複数の掛止爪２６が設けられていることを特徴とする。【選択図】      図３
2008029420.tif 000002
【特許請求の範囲】
【請求項１】
送水ホースの端部に挿入した接続金具の端部を、該送水ホースの外側から締付けて送水ホースと接続金具とを固定するボルトを有する締め金具の衝撃を緩和する衝撃緩和装置であって、
前記締め金具の外周面の全体を覆うように嵌着され、かつ緩衝材料によって形成された緩衝リングであり、該緩衝リングには前記締め金具に掛止される複数の掛止爪が設けられていることを特徴とする送水ホースの締め金具の衝撃緩和装置。
【請求項２】
前記緩衝リングには前記ボルトを調整可能な開口窓が設けられていることを特徴とする請求項１記載の送水ホースの締め金具の衝撃緩和装置。
【請求項３】
送水ホースの端部に挿入した接続金具の端部を、該送水ホースの外側から締付けて送水ホースと接続金具とを締め金具で固定すると共に、前記接続金具相互を結合して前記送水ホース相互を接続した形態で、前記接続金具及び締め金具の衝撃を緩和する衝撃緩和装置であって、
前記締め金具及び結合状態の前記接続金具の外周面の全体を覆うように巻き付けられる緩衝材料からなる緩衝カバーであり、該緩衝カバーには結束部材が設けられていることを特徴とする送水ホースの接続金具・締め金具等の衝撃緩和装置。
【請求項４】
送水ホースの端部に挿入した接続金具の端部を、該送水ホースの外側から締付けて送水ホースと接続金具とを固定するボルトを有する締め金具の衝撃を緩和する衝撃緩和装置であって、
前記締め金具の外周面の一部にその周方向に沿って凹溝を設けると共に、緩衝材料によって形成され、前記締め金具の外周面の全体を覆うように嵌着されるＯリングを設け、該Ｏリングの外周面には前記締め金具の凹溝に掛止されるＯリングを嵌着したことを特徴とする送水ホースの締め金具の衝撃緩和装置。
【請求項５】
送水ホースの端部に挿入した接続金具の端部を、該送水ホースの外側から締付けて送水ホースと接続金具とを固定する締め金具が、周方向に複数に分割された円弧状の金具片からなり、これら金具片の両端部には外径方向に突出する突出部が設けられ、突出部相互を突き合せた状態でボルトによって結合した締め金具の衝撃を緩和する衝撃緩和装置であって、
前記締め金具の外周面に保護層をコーティングすると共に、前記金具片に前記突出部を覆う保護ソケットを装着したことを特徴とする送水ホースの締め金具の衝撃緩和装置。
【請求項６】
送水ホースの端部に挿入した接続金具の端部を、該送水ホースの外側から締付けて送水ホースと接続金具とを固定するボルトを有する締め金具の衝撃を緩和する外径側が凹凸形状の衝撃緩和装置であって、
前記締め金具の外周面の略全体を覆うように嵌着され、かつ伸縮性を有する緩衝材料によって一体成形された緩衝リングであり、嵌着する前の形状が、断面略コ字状で、周方向に連続した円形状であることを特徴とする送水ホースの締め金具の衝撃緩和装置。
【発明の詳細な説明】
【技術分野】
【０００１】
本発明は、例えば、消防ホース等の送水ホースの端部に取付けられる接続金具及びこの接続金具を送水ホースに締付け固定する締め金具等の衝撃緩和装置に関する。
【背景技術】
【０００２】
一般に、消防ホースは、ホース本体の端部に接続金具や送水ノズルが設けられている。接続金具や送水ノズルは、その基端部をホース本体の端部に挿入し、ホース本体の外側から締め金具（バインディング）によって締付け固定してホース本体の端部から接続金具や送水ノズルが抜けないようにしている。
締め金具には種々のタイプのものがあるが、図１６（ａ）（ｂ）に示すような分割式のものが一般的である。すなわち、締め金具本体１は周方向が１２０°ずつ３分割され、個々の形状が円弧状の金具片２によって形成されている。これら金具片２の両端部には外径方向に突出する突出部３が設けられ、突出部３相互を突き合せることにより、ホース本体（図示しない）に嵌合するリングが形成されるようになっている。
突出部３には締め金具本体１の接線方向にボルト孔４が設けられ、一方の突出部３のボルト孔４から他方の突出部３のボルト孔４にボルト５を挿入し、このボルト５にナット６を螺合して締付けることにより、金具片２を連結すると共に、締め金具本体１を縮径してホース本体と接続金具とを固定している。
消防ホースは、消火作業中に、路上や建造物の床面、階段等を引き摺ったり、乱暴に扱われる。従って、ホース本体相互を接続する接続金具やホース本体と接続金具とを固定する締め金具は、障害物と激しく衝突することがある。
【０００３】
そこで、夜間等の消火作業の際の視認性を向上させるために、接続金具に反射材を貼り付け、さらにこの反射材の磨耗を防止するために、反射材の外周に弾性バンドを設け、消防ホースの落下や衝撃時の衝撃を緩和するようにしたものがある（例えば、特許文献１参照。）。
また、例えば、石油コンビナートの石油貯蔵タンクの火災発生時のような大火災に対応できる大容量泡放射システム等に使用される大容量送水ホースにおいては、口径が４００ｍｍ、ホースの標準長さが１５０ｍもある。このような大容量送水ホースの両端部にも同様に、接続金具が締め金具によって連結されている。
【０００４】
このような大容量送水ホースは、通常は展張車のドラムに巻回されており、展張時にはドラムを回転駆動して大容量送水ホースを地面等に這わせる繰り出し操作とホースの両端部の接続金具同士を結合する操作を行って目的の場所に展張しているが、消火作業時に、接続金具や締め金具が障害物に衝突して大きな衝撃を受けることがある。
【特許文献１】特開平８−７１１７２号公報
【発明の開示】
【発明が解決しようとする課題】
【０００５】
前述したように、消防ホースは、消火作業時に乱暴に取り扱われるために、接続金具や締め金具が障害物に激しく衝突して変形したり、破損することがある。また、前述した大容量送水ホースの場合においても、誤って高所から落下し、その衝撃で接続金具や締め金具を破損させてしまうことがある。
例えば、消火活動を行っている最中に、消防ホースの接続金具が破損したり、締め金具が破損して消防ホースが接続金具から抜けた場合、消防ホースには高い水圧が加わっているため、消防ホースの端部から大量の水が一挙に放出する。
このとき、消防ホースの端部が拘束されている場合には問題がないが、消防ホースの端部が解放状態にあると、脈動する水圧によって消防ホースの端部が暴れる現象（ホースの端部が上下・左右に激しく振れる）が起きる。消防ホースが比較的小口径（例えば、口径が数十ｍｍ）の場合には、水圧が高い場合でも断面積が小さいので水流による総合的な力は人手で抑えられる範囲であり、その暴れを拘束できるが、大容量送水ホースになると、口径が数百ｍｍとなり、高圧で一挙に放出するため、人手でその暴れを拘束できないと共に、危険性を伴う。
また、特許文献１のものは、接続金具（接手）が円筒状で、その外周面に弾性バンドを嵌着したものであり、接続金具のように円筒状の場合には適用できるが、図１５に示すように、締め金具本体１が周方向に１２０°ずつ３分割され、これら金具片２の両端部に外径方向に突出する突出部３を有したものは、外形に凹凸部があり、前述のような弾性バンドは嵌着できないと共に、嵌着しても外れ易いという問題がある。
本発明は、前記事情に着目してなされたもので、その目的とするところは、送水ホースの接続金具・締め金具等が衝撃を受けても、その衝撃を緩和して接続金具・締め金具等の破損を防止できる送水ホースの接続金具・締め金具等の衝撃緩和装置を提供する。
【課題を解決するための手段】
【０００６】
本発明は、前記目的を達成するために、請求項１は、送水ホースの端部に挿入した接続金具の端部を、該送水ホースの外側から締付けて送水ホースと接続金具とを固定するボルトを有する締め金具の衝撃を緩和する衝撃緩和装置であって、前記締め金具の外周面の全体を覆うように嵌着され、かつ緩衝材料によって形成された緩衝リングであり、該緩衝リングには前記締め金具に掛止される複数の掛止爪が設けられていることを特徴とする。
【０００７】
請求項２は、請求項１の前記緩衝リングには前記ボルトを調整可能な開口窓が設けられていることを特徴とする。
【０００８】
請求項３は、送水ホースの端部に挿入した接続金具の端部を、該送水ホースの外側から締付けて送水ホースと接続金具とを締め金具で固定すると共に、前記接続金具相互を結合して前記送水ホース相互を接続した形態で、前記接続金具及び締め金具の衝撃を緩和する衝撃緩和装置であって、前記締め金具及び結合状態の前記接続金具の外周面の全体を覆うように巻き付けられる緩衝材料からなる緩衝カバーであり、該緩衝カバーには結束部材が設けられていることを特徴とする。
【０００９】
請求項４は、送水ホースの端部に挿入した接続金具の端部を、該送水ホースの外側から締付けて送水ホースと接続金具とを固定するボルトを有する締め金具の衝撃を緩和する衝撃緩和装置であって、前記締め金具の外周面の一部にその周方向に沿って凹溝を設けると共に、緩衝材料によって形成され、前記締め金具の外周面の全体を覆うように嵌着されるＯリングを設け、該Ｏリングの外周面には前記締め金具の凹溝に掛止されるＯリングを嵌着したことを特徴とする。
【００１０】
請求項５は、送水ホースの端部に挿入した接続金具の端部を、該送水ホースの外側から締付けて送水ホースと接続金具とを固定する締め金具が、周方向に複数に分割された円弧状の金具片からなり、これら金具片の両端部には外径方向に突出する突出部が設けられ、突出部相互を突き合せた状態でボルトによって結合した締め金具の衝撃を緩和する衝撃緩和装置であって、前記締め金具の外周面に保護層をコーティングすると共に、前記金具片に前記突出部を覆う保護ソケットを装着したことを特徴とする。
【００１１】
請求項６は、送水ホースの端部に挿入した接続金具の端部を、該送水ホースの外側から締付けて送水ホースと接続金具とを固定するボルトを有する締め金具の衝撃を緩和する外径側が凹凸形状の衝撃緩和装置であって、前記締め金具の外周面の略全体を覆うように嵌着され、かつ伸縮性を有する緩衝材料によって一体成形された緩衝リングであり、嵌着する前の形状が、断面略コ字状で、周方向に連続した円形状であることを特徴とする。
【発明の効果】
【００１２】
本発明によれば、例えば、消防ホース等の取り扱い時に、接続金具・締め金具等が衝撃を受けても、その衝撃を緩和して接続金具・締め金具等の破損を防止でき、しかも接続金具・締め金具等の外形に凹凸部が確実に保持され、脱落の虞もないという効果がある。
【発明を実施するための最良の形態】
【００１３】
以下、本発明の各実施の形態を図面に基づいて説明する。
【００１４】
図１〜図３は送水ホースの接続金具・締め金具等の衝撃緩和装置の第１の実施形態を示し、図１は第１の送水ホースと第２の送水ホースを接続金具を介して接続した状態の側面図、図２は緩衝リングを示し、（ａ）は左側面図、（ｂ）は右側面図、図３は締め金具に緩衝リングを嵌着した状態を示し、（ａ）は側面図、（ｂ）はＡ−Ａ線に沿う断面図、（ｃ）はＢ−Ｂ線に沿う断面図である。
【００１５】
図１に示すように、１１は消防ホース等の第１の送水ホース、１２は消防ホース等の第２の送水ホースであり、第１及び第２の送水ホース１１，１２は、例えば口径が４００ｍｍの大容量送水ホースであり、例えば石油コンビナートの石油貯蔵タンクの火災発生時のような大火災に対応できる大容量泡放射システム等に使用されるホースを想定したものであるが、これに限定されるものではない。
第１及び第２の送水ホース１１，１２は、ジャケット１３と、このジャケット１３の内周面にライニングされたゴム等のライニング層（図示しない）とからなる可撓性を有するホース本体１４の端部に接続金具１５を設けたものであり、接続金具１５相互を結合することにより延伸できるようになっている。接続金具１５にはホース本体１４の端部に挿入される接続筒１６が設けられ、この接続筒１６はホース本体１４の外側から締め金具１７によって締付けられ、ホース本体１４に対して接続金具１５が固定されている。
【００１６】
締め金具１７は周方向が１２０°ずつ３分割され、個々の形状が円弧状の金具片１８によって形成されている。これら金具片１８の両端部には外径方向に突出する突出部１９が設けられ、突出部１９相互を突き合せることにより、ホース本体１４に嵌合するリングが形成される。突出部１９には締め金具１７の接線方向にボルト孔２０が設けられ、一方の突出部１９のボルト孔２０から他方の突出部１９のボルト孔２０にボルト２１を挿入し、このボルト２１にナット２２を螺合して締付けることにより、締め金具１７が縮径され、ホース本体１４に接続金具１５を締付けている。さらに、締め金具１７は、接続金具１５側が肉厚部１７ａに、接続金具１５と反対側が肉薄部１７ｂに形成され、この肉薄部１７ｂ側にはスカート部１７ｃが形成されている。
【００１７】
また、第１及び第２の送水ホース１１，１２に装着された締め金具１７には、本発明の衝撃緩和装置である緩衝リング２３が嵌着されている。緩衝リング２３は締め金具１７の外周面の全体を覆うように断面が略コ字状に形成されたゴムまたは合成樹脂の緩衝材料からなる環状体である。そして、緩衝リング２３の一端部には締め金具１７の肉厚部１７ａに接合する接合部２４、他端部にはスカート部１７ｃに当接する当接部２５が設けられている。さらに、当接部２５側には肉薄部１７ｂの端部に掛止される複数の掛止爪２６が周方向に間隔を存して設けられている。従って、緩衝リング２３は締め金具１７の全体を覆っており、例えば、消火作業中に、第１及び第２の送水ホース１１，１２を路上や建造物の床面、階段等を引き摺ったり、これらと激しく衝突して大きな衝撃を受けても締め金具１７を緩衝リング２３が保護して締め金具１７を破損させてしまうことがない。
【００１８】
図４は第１の実施形態の変形例を示し、緩衝リング２３に、締め金具１７のボルト２１の頭部と対向して開口窓２７を設け、締め金具１７に緩衝リング２３を嵌着した状態であっても開口窓２７からボルト２１を締付けることができるようにしたものである。
図５及び図６は第２の実施形態を示し、第１の実施形態と同一構成部分は同一番号を付して説明を省略する。図５（ａ）は緩衝カバーの取付け前の側面図、（ｂ）は緩衝カバーの取付け後の側面図、図６は緩衝カバーの斜視図である。本実施形態の衝撃緩和装置は、締め金具１７及び結合状態の接続金具１５の外周面の全体を覆うように巻き付けられる緩衝カバー２８であり、矩形状のカバー本体２９の裏面には緩衝材料としてウレタンフォーム３０が設けられ、表面には緩衝カバー２８を締め金具１７及び結合状態の接続金具１５の外周面に結束するマジックテープ（登録商標）からなる例えば２本の結束部材３１が設けられている。
【００１９】
本実施形態によれば、図５（ｂ）に示すように、緩衝カバー２８を締め金具１７及び結合状態の接続金具１５の外周面に巻き付けてこれらの全体を覆い、結束部材３１によって結束することにより、緩衝カバー２８を締め金具１７及び結合状態の接続金具１５の外周面が緩衝材料としてウレタンフォーム３０によって覆われる。
【００２０】
従って、例えば、消火作業中に、第１及び第２の送水ホース１１，１２を路上や建造物の床面、階段等を引き摺ったり、これらと激しく衝突して大きな衝撃を受けても接続金具１５及び締め金具１７を緩衝カバー２８が保護して接続金具１５及び締め金具１７を破損させてしまうことがない。
【００２１】
図７〜図９は第３の実施形態を示し、第１の実施形態と同一構成部分は同一番号を付して説明を省略する。図７は緩衝リングの正面図、図８は緩衝リングを締め金具に取付けた状態の正面図、図９は図８のＣ−Ｃ線に沿う断面図である。本実施形態の衝撃緩和装置である緩衝リング３２は締め金具１７の外周面１７ｄに嵌着されている。締め金具１７の外周面１７ｄには突出部１９を残して周方向に断面が略コ字状の凹溝３３が設けられている。緩衝リング３２はゴムまたは合成樹脂の緩衝材料からなる環状体であり、その内周部には締め金具１７の凹溝３３に挿入される凸部３２ａと突出部１９に嵌合する凹部３２ｂが設けられている。
【００２２】
そして、緩衝リング３２の主体部は締め金具１７の外周面に嵌着したとき、締め金具１７の外周面１７ｄより突出して締め金具１７の全体を覆って保護するようになっている。従って、例えば、消火作業中に、第１及び第２の送水ホース１１，１２を路上や建造物の床面、階段等を引き摺ったり、これらと激しく衝突して大きな衝撃を受けても締め金具１７を緩衝リング３２が保護して締め金具１７を破損させてしまうことがない。
【００２３】
本実施形態においても、緩衝リング３２に、締め金具１７のボルト２１の頭部と対向して開口窓（図示しない）を設け、締め金具１７に緩衝リング３２を嵌着した状態であっても開口窓からボルト２１を締付けることができる。
図１０〜図１２は第４の実施形態を示し、第３の実施形態と同一構成部分は同一番号を付して説明を省略する。図１０はＯリングを締め金具に取付けた状態の正面図、図１１はＯリングを締め金具に取付けた状態の側面図、図１２は図１１のＤ−Ｄ線に沿う断面図である。本実施形態の衝撃緩和装置であるＯリング３４は締め金具１７の外周面１７ｄに嵌着されている。締め金具１７の外周面１７ｄには突出部１９を残して周方向に断面が略円弧状の凹溝３５が設けられている。
【００２４】
そして、Ｏリング３４の主体部は締め金具１７の外周面に嵌着したとき、締め金具１７の外周面１７ｄより突出して締め金具１７の全体を覆って保護するようになっている。従って、例えば、消火作業中に、第１及び第２の送水ホース１１，１２を路上や建造物の床面、階段等を引き摺ったり、これらと激しく衝突して大きな衝撃を受けても締め金具１７をＯリング３４が保護して締め金具１７を破損させてしまうことがない。
【００２５】
図１３及び図１４は第５の実施形態を示し、第１の実施形態と同一構成部分は同一番号を付して説明を省略する。図１３は保護ソケットを締め金具に取付けた状態の正面図、図１４は図１３のＥ−Ｅ線に沿う断面図である。本実施形態の衝撃緩和装置である保護ソケット３６は締め金具１７の突出部１９に嵌着されるようにゴムまたは合成樹脂等の緩衝材料によって断面がコ字状に形成されている。この保護ソケット３６は開口端に内側に折曲された係合爪３７ａ，３７ｂが設けられ、これら係合爪３７ａ，３７ｂは締め金具１７の肉厚部１７ａ及び肉薄部１７ｂに係合固定されるようになっている。さらに、保護ソケット３６の外周面にはエラストマー等の保護層３８がコーティングされ、表面に傷が付くのを防止している。
従って、例えば、消火作業中に、第１及び第２の送水ホース１１，１２を路上や建造物の床面、階段等を引き摺ったり、これらと激しく衝突して大きな衝撃を受けても締め金具１７の突出部１９が保護ソケット３６によって保護され、締め金具１７を破損させてしまうことがない。
【００２６】
図１５は第６の実施形態を示し、（ａ）は締め金具に緩衝リングを嵌着した状態の縦断側面図、（ｂ）は緩衝リングの側面図、（ｃ）は半断面図であり、第１の実施形態と同一構成部分は同一番号を付して説明を省略する。なお、図１６（ａ）の通り、締め金具の外径側は凹凸形状であるので、これに緩衝リングを被せた図１５（ａ）の状態の衝撃緩和装置の外径側も凹凸形状である。
本実施形態は、緩衝リング４０は締め金具１７の外周面の全体を覆うように断面が略コ字状に形成されたゴムまたは合成樹脂の緩衝材料からなる環状体である。緩衝リング４０は、締め金具１７に嵌着する前の形状が、断面略コ字状で、周方向に連続した円形状であり、緩衝リング４０の一端部には締め金具１７の肉厚部１７ａに接合する接合部４１、他端部には肉薄部１７ｂに係合する係合部４２が設けられている。従って、緩衝リング４０は締め金具１７の全体を覆っており、例えば、消火作業中に、第１及び第２の送水ホース１１，１２を路上や建造物の床面、階段等を引き摺ったり、これらと激しく衝突して大きな衝撃を受けても締め金具１７を緩衝リング４０が保護して締め金具１７を破損させてしまうことがない。
【００２７】
なお、前記各実施形態においては、第１と第２の送水ホース１１，１２を、口径が４００ｍｍの大容量送水ホース用として説明したが、大容量送水ホースに限定されるものではなく、通常規格の消防ホース用としても適用できる。
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００２８】
【図１】本発明の第１の実施形態を示し、第１の送水ホースと第２の送水ホースを接続金具を介して接続した状態の側面図。
【図２】同実施形態の緩衝リングを示し、（ａ）は左側面図、（ｂ）は右側面図。
【図３】同実施形態の締め金具に緩衝リングを嵌着した状態を示し、（ａ）は側面図、（ｂ）はＡ−Ａ線に沿う断面図、（ｃ）はＢ−Ｂ線に沿う断面図。
【図４】同実施形態の変形例を示し、締め金具に緩衝リングを嵌着した状態の側面図。
【図５】本発明の第２の実施形態を示し、（ａ）は緩衝カバーの取付け前の側面図、（ｂ）は緩衝カバーの取付け後の側面図。
【図６】同実施形態の緩衝カバーの斜視図。
【図７】本発明の第４の実施形態を示し、緩衝リングの正面図。
【図８】同実施形態を示し、緩衝リングを締め金具に取付けた状態の正面図。
【図９】同実施形態を示し、図８のＣ−Ｃ線に沿う断面図。
【図１０】本発明の第５の実施形態を示し、Ｏリングを締め金具に取付けた状態の正面図。
【図１１】同実施形態を示し、Ｏリングを締め金具に取付けた状態の側面図。
【図１２】同実施形態を示し、図１１のＤ−Ｄ線に沿う断面図。
【図１３】本発明の第５の実施形態を示し、保護ソケットを締め金具に取付けた状態の正面図。
【図１４】同実施形態を示し、図１３のＥ−Ｅ線に沿う断面図。
【図１５】本発明の第６の実施形態を示し、（ａ）は締め金具に緩衝リングを嵌着した状態の縦断側面図、（ｂ）は緩衝リングの側面図、（ｃ）は半断面図。
【図１６】従来の締め金具を示し、（ａ）は一部切欠した正面図、（ｂ）は金具片の側面図。
【符号の説明】
【００２９】
１１，１２…送水ホース、１３…ホース本体、１５…接続金具、１７…締め金具、２１…ボルト、２３…緩衝リング、２６…掛止爪
【図１】
2008029420.tif 000003
【図２】
2008029420.tif 000004
【図３】
2008029420.tif 000005
【図４】
2008029420.tif 000006
【図５】
2008029420.tif 000007
【図６】
2008029420.tif 000008
【図７】
2008029420.tif 000009
【図８】
2008029420.tif 000010
【図９】
2008029420.tif 000011
【図１０】
2008029420.tif 000012
【図１１】
2008029420.tif 000013
【図１２】
2008029420.tif 000014
【図１３】
2008029420.tif 000015
【図１４】
2008029420.tif 000016
【図１５】
2008029420.tif 000017
【図１６】
2008029420.tif 000018